(57)【特許請求の範囲】
【請求項１】
情報が格納されるストレージと、前記ストレージへのアクセス時の認証を行う管理オブジェクト、および前記ストレージへのアクセス処理を提供するインタフェースオブジェクトと、を含むストレージシステムであって、
ユーザＩＤとパスワードを伴う前記ストレージへのアクセス要求に対応して前記管理オブジェクトが認証鍵をアクセス要求元に発行すると共に前記インタフェースオブジェクトを生成し、
前記認証鍵から求めたオブジェクトアドレスを用いて前記インタフェースオブジェクトを経由して前記ストレージへのアクセスを行うことを特徴とするストレージシステム。
【請求項２】
請求項１記載のストレージシステムにおいて、前記インタフェースオブジェクトは、前記アクセス要求元のログアウトによって消滅することを特徴とするストレージシステム。
【請求項３】
請求項２記載のストレージシステムにおいて、前記管理オブジェクトは前記インタフェースオブジェクトの消滅からアクセス要求までの期間を算出し、該期間が一定の閾値を超えた場合は、前記インタフェースオブジェクトを生成しないことを特徴とするストレージシステム。
【発明の詳細な説明】
【０００１】
【発明の属する技術分野】
本発明は、ストレージシステムに関し、特に、ストレージシステムの遠隔管理業務等に適用して有効な技術に関するものである。
【０００２】
【従来の技術】
ストレージシステムの構成を遠隔から操作する場合、ストレージシステム内の構成情報データベースを書きかえる手段が必要である。従来から、このデータにアクセスする手段として汎用的なＳＮＭＰ（Ｓｉｍｐｌｅ  Ｎｅｔｗｏｒｋ  Ｍａｎａｇｅｍｅｎｔ  Ｐｒｏｔｏｃｏｌ）を使用したり、あるいは、独自のプロトコルを作成し、データベースにアクセスするインタフェースを独自に定義して、それをアプリケーションプログラムから使用する方法等がある。またそれらのアプリケーションプログラムは、使用者に配布されプログラムをインストールして使用している。そのプログラムは、ユーザＩＤとパスワードによる認証を受けたものに対してのみ使用を許可する仕組になっている。この認証機構は通常アプリケーションプログラム内に組み込んであるのが一般的である。
【０００３】
【発明が解決しようとする課題】
（１）ＳＮＭＰプロトコルを用いた場合の技術的課題
ストレージ構成情報データベースをＳＮＭＰを用いて、外部に提供するインタフェース方式は、ストレージ構成情報データベースをＭＩＢ（Ｍａｎａｇｅｍｅｎｔ  Ｉｎｆｏｒｍａｔｉｏｎ  Ｂａｓｅ）に変換し、このデータをＳＮＭＰで定義されている簡易コマンド（Ｇｅｔ，Ｇｅｔ／Ｎｅｘｔ，Ｓｅｔなど）で情報のやり取りを行う必要がある。近年ストレージの構成情報は、飛躍的に増大しており、この方式では、通信処理時間のオーバヘッドが大きくなり、処理速度が低下する。また、単純な情報の読み書きでも、複雑なコマンドの組み合わせによる制御を、アプリケーション側で行う必要があり、容易に使用することができなくなり、開発工数が増大することが大きな技術的課題となる。また、汎用的なインタフェースを用いるため、第３者により、作成された不正なプログラムによりデータを読み書きされる恐れがある。
【０００４】
また、ユーザ認証などのセキュリティー機能は、あらかじめアプリケーションプログラム内に組み込んでおく必要がある。
【０００５】
このように、ＳＮＭＰプロトコルを用いる場合では性能面、セキュリティ面での欠点を改善することが技術的課題となる。
【０００６】
（２）専用プロトコルを用いた場合の技術的課題
専用のプロトコルを設定する場合は、性能面、セキュリティ面では優位であるが、データを操作するアプリケーションは、プロトコル依存のシステムとなってしまい、汎用的に使用できない欠点がある。
【０００７】
また、アプリケーションプログラムは、動作させる計算機のオペレーティングシステム毎に個別に作成し、配布する必要があるため、ストレージ管理システムの構築や保守管理等に、多大の労力を要するという技術的課題もある。
【０００８】
本発明の目的は、情報ネットワークを経由してやり取りされる情報量を増大させることなく、効率良く、ストレージシステムの遠隔管理を行う技術を提供することにある。
【０００９】
本発明の他の目的は、セキュリティや性能を低下させることなく、ストレージシステムの遠隔管理ソフトウェアの開発工数の削減、および汎用性の向上を実現することにある。
【００１０】
【課題を解決するための手段】
本発明は、情報が格納されるストレージと、ストレージの管理制御を行う管理制御手段とを含むストレージシステムにおいて、管理制御手段は、情報ネットワークを経由した遠隔手続き呼び出し機能にてストレージシステムの外部から管理制御を行うための複数の制御機能を提供するストレージ管理制御用インタフェースを備えたものである。
【００１１】
より具体的には、一例として、ストレージシステム内にＪａｖａ仮想マシン（ＪＶＭ：Ｊａｖａ  Ｖｅｒｔｕａｌ  Ｍａｃｈｉｎｅ）を搭載し、ストレージの構成情報データベースは、Ｊａｖａ  ＲＭＩ（Ｒｅｍｏｔｅ  Ｍｅｔｈｏｄ  Ｉｎｖｏｃａｔｉｏｎ）プロトコル技術を用いて複数の制御機能を外部に提供するストレージ管理制御用インタフェースを備える。
【００１２】
このインタフェースは、インターネットあるいはイントラネット等の情報ネットワークを経由してアクセスしてくるユーザの要求により動的に生成されるものとし、ユーザが使用するときのみ開放される。インタフェースの開放条件は、ユーザＩＤとパスワードによる認証であり、インタフェースを開放するユーザを特定するために、インタフェースの使用を許可するユーザを登録したユーザ情報ファイルを備え、そのファイル内には、ユーザＩＤ、パスワード、および使用可能なインタフェースメソッド（関数）群、使用期間、前回ログイン／ログアウトした時刻を各ユーザ毎にそれぞれ格納しておく。
【００１３】
さらに、このインタフェースを使用して、ストレージの構成情報を参照および設定可能なマネージャプログラムをストレージ内に保管しておき、ｈｔｔｐ（Ｈｙｐｅｒ  Ｔｅｘｔ  Ｔｒａｎｓｆｅｒ  Ｐｒｏｔｏｃｏｌ）デーモンを通して、遠隔のＷＷＷブラウザに配信する手段を備えておく。このマネージャプログラムはＪａｖａのアプレットで作成されており、ＪＶＭが搭載された任意の情報処理装置のＷＷＷブラウザ上で動作が可能である。
【００１４】
【発明の実施の形態】
以下、本発明の実施の形態を図面を参照しながら詳細に説明する。
【００１５】
図１は本発明の一実施の形態であるストレージシステムにおける管理制御機能部分に着目した構成および作用の一例を示す概念図、図２は、本実施の形態のストレージシステムにて用いられる情報の一例を示す概念図、図３および図４は、本実施の形態のストレージシステムの作用の一例を示すフローチャート、図５は、本実施の形態のストレージシステムの作用の一例を示す概念図、である。
【００１６】
本実施の形態のストレージシステムは、図示しないディスク装置等の記憶装置と、外部との間における格納データ等の授受を制御する図示しない記憶制御機構と、これらの記憶装置および記憶制御機構等を管理する管理機構を備えており、図１には、簡単のため管理機構のソフトウェア構成等に関係する部分を抄出して例示している。
【００１７】
本実施の形態の場合、ストレージシステム１０１の管理機構においてインターネットやイントラネット等の情報ネットワーク５００を経由して外部のユーザシステムとの間でのアクセスを制御するソフトウェアの一例として、ＷＷＷサーバ１０３、ＲＭＩ管理オブジェクト１０５、後述のように動的に生成および消滅するＲＭＩインタフェースオブジェクト１０７、ＲＭＩインタフェース１０８、これらの実行環境を提供するＪＶＭ（Ｊａｖａ仮想マシン）等が、図示しない管理制御コンピュータに実装されている。
【００１８】
本実施の形態のストレージシステム１０１内の図示しないディスク装置や記憶制御機構、さらにはこれらが接続されるホストコンピュータ等の接続状況等の構成情報は、ストレージ構成情報ファイル１０６に格納されており、この構成情報を書きかえることでディスク装置や接続ホスト等をはじめとするシステム構成の設定を変更することが可能である。
【００１９】
本実施の形態の場合、ストレージ構成情報ファイル１０６にアクセスできるものは、Ｊａｖａ  ＲＭＩで作成されたＲＭＩインタフェースオブジェクト１０７のみであり、このオブジェクトには、ストレージ構成情報ファイル１０６を読み書きするためのインタフェースメソッド群（関数群）が定義してある。この関数を使ってのみ読み書きが可能であり、ＲＭＩインタフェース１０８として公開する。
【００２０】
ＲＭＩインタフェースオブジェクト１０７は必要時に動的に生成されて存在し得る（存在期間中に全くアクセスのない時間がある値以上に長くなると自動的に消滅する）ものであり、存在しないときは、ストレージ構成情報ファイル１０６に対して、一切、アクセスできない。存在するときは、外部のＪＶＭ搭載のコンピュータからアクセスすることができる。ただし、その際、ＲＭＩインタフェースオブジェクト１０７のＲＭＩアドレスを知る必要があり、ＲＭＩアドレスがわからない限り、使用することはできない。このＲＭＩアドレスはＲＭＩインタフェースオブジェクト１０７を動的に生成する際、ランダムに発生させたＲＭＩアドレスを割り付けて、これを認証鍵１０７ａとし、ＲＭＩインタフェース１０８の使用を許可するユーザに対してのみ授与することで、安全なインタフェースを構築できる。
【００２１】
ストレージマネージャプログラム１０２から情報ネットワーク５００を経由してＲＭＩインタフェース１０８を使用する際には、ＲＭＩ管理オブジェクト１０５と呼ばれるＲＭＩサーバプログラムに対して、ＲＭＩインタフェースオブジェクト１０７の生成を申請し、ＲＭＩインタフェースオブジェクト１０７が生成された後にＲＭＩインタフェースメソッドを使用する。このときＲＭＩインタフェース１０８にアクセスするための鍵となるＲＭＩアドレスは、ＲＭＩ管理オブジェクト１０５から取得するが、認証を受けないと取得できない仕組みになっている。この認証方式としては、一例として、ユーザＩＤとパスワードを用いる認証技術を用いることができる。すなわち、ユーザＩＤとパスワードのリストを格納したユーザ情報ファイル１０４を用意し、マネージャソフトから送信されてくる情報と比較することで認証を行う。したがって、このインタフェースに接続するマネージャプログラムは、必ず、ユーザＩＤとパスワードによる認証をうけないと使用できないために安全なインタフェースシステムが構築できる。
【００２２】
従来のように、マネージャプログラム側で、ユーザ認証することでセキュリティを確保する方式では、マネージャプログラムのセキュリティホールが発見されたりした場合は、そのアプリケーションプログラムからストレージ構成情報ファイルにアクセスされてしまう。またインタフェースに接続する、不正アクセスプログラムを第３者によって作成された場合には、インタフェースを停止するか、作成しなおす必要がある。
【００２３】
本実施の形態のストレージシステム１０１のインタフェースシステムであれば、不正アクセスプログラム（不正アクセス者１１０）やセキュリティホールがあるマネージャプログラムが存在したとしても、それらのプログラムを使用するユーザに対して、使用権限をなくせばアクセスされることを拒否でき、セキュリティ低下の懸念はない。
【００２４】
さらに、後述の図５に例示されるように、このインタフェースは、複数のメソッド（関数）から構成され、各ユーザに対して、使用許可期間を限定でき、かつ、使用を許可するメソッド群（関数群）も定義でき、また、一定期間使用されてないユーザに対してはインタフェースの使用を不可にする機能を備えている。以下にその仕組みについて図２、図３および図４を用いて説明する。
【００２５】
図２に例示されるように、認証の際に使用するユーザ情報ファイル１０４の中には、各登録ユーザ毎に、ユーザＩＤ１０４ａ、パスワード１０４ｂ、等の情報とともに、それぞれのユーザに対し使用を許可する期間を明記した使用許可期間情報ファイル１０４−１のファイル名１０４ｃと、使用を許可する関数群の情報を格納した使用許可関数情報ファイル１０４−２のファイル名１０４ｄと、前回使用したときのログアウト時刻１０４ｅ、等を記述しておく。
【００２６】
図３のフローチャートにて例示されるように、ユーザ情報ファイル１０４に登録済みのユーザは、ストレージシステム１０１のＷＷＷサーバ１０３等のユーティリティプログラムのインターネット等の情報ネットワーク５００上のＵＲＬ（Ｕｎｉｆｏｒｍ  Ｒｅｓｏｕｒｃｅ  Ｌｏｃａｔｅｒ）を指定して、ＷＷＷサーバ１０３にアクセスすると（ステップ２０１）、ＷＷＷサーバ１０３は、ユーザのＷＷＷブラウザ１０９に対して、Ｊａｖａアプレット等で記述されたストレージマネージャプログラム１０２を転送する（ステップ２０２）。
【００２７】
そして、このストレージマネージャプログラム１０２に実装されているユーザ認証インタフェースにてユーザＩＤ１０４ａ、およびパスワード１０４ｂ、等の認証に必要な情報を取得し、ＲＭＩ管理オブジェクト１０５に送信する（ステップ２０３）。
【００２８】
ＲＭＩ管理オブジェクト１０５は後述の図４に例示されるような手順にて、当該ユーザの認証処理を実行し、その結果、認証が成立すると（ステップ２０４）、ＲＭＩ管理オブジェクト１０５はＲＭＩ使用許可のための認証鍵１０７ａ（ＲＭＩオブジェクトアドレス）を生成するとともに、その認証鍵１０７ａに対応するＲＭＩインタフェースオブジェクト１０７を生成する（ステップ２０５）。
【００２９】
そして、認証鍵１０７ａをユーザのＷＷＷブラウザ１０９上で稼働するストレージマネージャプログラム１０２に送信する（ステップ２０６）。
【００３０】
ストレージマネージャプログラム１０２は、受け取った認証鍵１０７ａからＲＭＩオブジェクトアドレスを求めて、ＲＭＩインタフェースオブジェクト１０７のＲＭＩインタフェース１０８にアクセスして、ストレージシステム１０１における構成情報の参照や変更等の所望のシステム管理作業等を実行する（ステップ２０７）。
【００３１】
そして、ストレージマネージャプログラム１０２を使用するユーザの意志、あるいは、システム側からのアクセス時間制限による強制ログアウト等により、ログアウト処理が行われる（ステップ２０８）。
【００３２】
また、上述のステップ２０４で認証不成立の場合（不正アクセス者１１０の場合）には、強制的にログアウトされる（ステップ２０８）。
【００３３】
図４のフローチャートにて、本実施の形態のストレージシステム１０１に実装されているＲＭＩ管理オブジェクト１０５による認証処理をより詳細に説明する。
【００３４】
まず、ユーザ側から送信されたユーザＩＤとパスワードをユーザ情報ファイル１０４の登録内容と比較することにより認証し（ステップ４０１）、そのユーザの使用が最近アクセスしたＲＭＩインタフェースオブジェクトの消滅時刻（ログアウト時刻１０４ｅ）を参照する（ステップ４０２）。このログアウト時刻１０４ｅと現時刻から未使用期間を算出し、未使用期間が閾値を超えた場合（ステップ４０３）は、ＲＭＩインタフェースオブジェクトを生成せず、当該ユーザの強制ログアウトを実行する（ステップ４１０）。これにより、長期間未使用であるユーザに対しては使用許可を与えないようにすることが可能である。
【００３５】
また、ステップ４０３で可と判定され場合には、さらに、ユーザ情報ファイル１０４のリストから、使用許可期間情報ファイル１０４−１を参照（ステップ４０４）し、現在の時刻がそこに記述された使用許可期間に含まれない場合は（ステップ４０５）、ＲＭＩインタフェースオブジェクトを生成せず、当該ユーザの強制ログアウトを実行する（ステップ４１０）。これにより特定のユーザに対して、使用期間を限定できる。
【００３６】
ステップ４０５の判定が可と判定された場合には、まず認証鍵１０７ａを生成し（ステップ４０６）し、さらに、図５に例示されるように、ユーザ情報ファイル１０４のリストから、使用許可関数情報ファイル１０４−２を参照し、使用許可する関数群を識別し、この情報と認証鍵１０７ａを元にＲＭＩインタフェースオブジェクト１０７を生成する（ステップ４０７）。ＲＭＩインタフェースオブジェクト１０７は、各関数１０７ｃ毎に、使用許可フラグ１０７ｂを内部にもち、この使用許可フラグ１０７ｂが有効の時のみ使用でき、かつそのアドレスは認証鍵１０７ａに依存しているため認証鍵１０７ａをもたないユーザは使用できないようになっている。
【００３７】
この後、ユーザのストレージマネージャプログラム１０２に対して、認証鍵１０７ａを送信する（ステップ４０８）。
【００３８】
そして、ユーザのストレージマネージャプログラム１０２は、ＲＭＩインタフェースオブジェクト１０７から受信した認証鍵１０７ａを基に、ＲＭＩアドレスを求め、ＲＭＩインタフェース１０８にアクセス可能となる（ステップ４０９）。
【００３９】
必要なアクセスが終了すると、ログアウトする（ステップ４１０）。なお、ステップ４０９のアクセス時間を監視し、アクセス時間が所定の長さを超過したら強制的にログアウトさせるようにしてもよい。
【００４０】
このように、本実施の形態のストレージシステム１０１においては、ＲＭＩ管理オブジェクト１０５は、ＲＭＩインタフェースオブジェクト１０７を生成する際に、使用許可フラグ１０７ｂを、使用許可期間情報ファイル１０４−１、さらには、使用許可関数情報ファイル１０４−２の設定内容に従いセットする（図５）。これにより、各ユーザに対して、使用する関数１０７ｃやその使用期間を限定することができる。
【００４１】
これらのセキュリティ技術を組み合わせることで本実施の形態においては非常にセキュリティの高い、また運用自由度の高いストレージ管理制御システムを構築できる。
【００４２】
たとえば、あるユーザに対しては参照するのみのメソッド（関数１０７ｃ）だけ有効にしたり、ある期間はあるユーザのみに使用許可することができる。また、ストレージシステム１０１等のサブシステムの保守を行うため、全ユーザに対して、インタフェースプログラムを停止することなく、使用不可能にすることも可能となる。
【００４３】
また、ＲＭＩインタフェースオブジェクト１０７、ＲＭＩインタフェース１０８は、単機能なものから高機能な処理を施すものまで、定義は自由にできる。また、広く普及したコンピュータ言語の一つであるＪａｖａ  ＲＭＩを使用しているため、任意のＪａｖａアプリケーションと連携が容易となるとともに、ストレージマネージャプログラム１０２の開発が容易となる。
【００４４】
本実施の形態のＲＭＩインタフェースオブジェクト１０７、ＲＭＩインタフェース１０８等のインタフェースは、ＲＭＩの通信機能を備えたＪａｖａのＷＷＷブラウザ１０９上で動作するアプレットプログラムと通信可能である。従って、本実施の形態のＲＭＩインタフェースオブジェクト１０７、ＲＭＩインタフェース１０８等のインタフェースを備えたＪａｖａアプレットで作成されたストレージマネージャプログラム１０２をストレージシステム１０１に搭載し、さらにそれを任意のクライアントに配信するためのにＷＷＷサーバ１０３を搭載すれば、ＪＶＭを搭載する任意の情報処理システムからストレージシステム１０１の管理制御をＷＷＷブラウザ１０９上で行うことが可能となる。これにより、特別な管理プログラムをユーザ毎に個別に配布する等の煩雑な作業を省くことが可能になる。
【００４５】
以上説明したように、本実施の形態によれば、ストレージ管理制御インタフェースにＪａｖａ  ＲＭＩ等の遠隔手続き呼び出し技術を採用することで、ネットワーク負荷が低く、汎用的でかつ高機能なメソッド（関数）を容易に定義できるため、ストレージシステム１０１の管理制御等のための管理ソフトウェアの開発が容易になる。
【００４６】
また、ストレージシステムの管理制御等のためのＲＭＩインタフェースオブジェクト１０７、ＲＭＩインタフェース１０８等のユーザインタフェースは、ユーザ認証前には存在せずに、ユーザ認証後に初めて生成されるので、ユーザ認証なしにはインタフェースが存在しないため、安全性の高いストレージシステム１０１の管理制御インタフェースシステムが構築できる。
【００４７】
また、このストレージシステム１０１の管理制御等のためのユーザインタフェースに接続するユーザ固有の管理制御ソフトウェアには、認証機能を持たせる必要がなくなり、ユーザ固有の管理制御ソフトウェアに認証機能を委ねることに起因するセキュリティ低下の防止効果もある。
【００４８】
また、各ユーザ毎に、使用許可期間を限定でき、かつ使用許可関数も定義できるため、たとえば、全ユーザに対して、一時使用不可、あるいは読み込み限定にする等のように、個々のユーザに対して、セキュリティポリシーをきめ細かく設定できる。
【００４９】
また、ＷＷＷサーバ１０３を搭載して、Ｊａｖａアプレット等で記述されたストレージマネージャプログラム１０２を配信できるため、ユーザが使用するクライアントソフトウェアとしては、ＪＶＭ搭載のＷＷＷブラウザ１０９さえあればよく、簡便に、管理制御ソフトウェアを利用することが可能なストレージ管理制御システムが構築できる。
【００５０】
本願の特許請求の範囲に記載された発明を見方を変えて表現すれば以下の通りである。
【００５１】
＜１＞  ストレージとホストコンピュータを接続するインタフェースとは物理的、論理的に独立したインタフェースを通して、ストレージ構成の管理制御を行うことができるストレージシステムにおいて、そのストレージ管理制御用インタフェースがＪａｖａ  ＲＭＩ方式であることを特徴とするストレージシステム。
【００５２】
＜２＞  項目＜１＞をみたすストレージシステムにおいて、ストレージ管理制御用インタフェースに定義してあるメソッドは、限定されたされたユーザを認証後に使用可能であることを特徴とするストレージ管理制御用インタフェース。
【００５３】
＜３＞  項目＜２＞を満たすストレージ管理制御用インタフェースは、認証前は存在せず、認証後に動的に生成されることを特徴とするストレージ管理制御用インタフェースシステム。
【００５４】
＜４＞  項目＜２＞を満たすストレージ管理制御用インタフェースにおいて、使用できる期間を各ユーザ毎に自由に設定可能なストレージ管理制御用インタフェースシステム。
【００５５】
＜５＞  項目＜２＞を満たすストレージ管理制御用インタフェースにおいて、使用できるＲＭＩメソッド（関数）群を各ユーザ毎に限定して設定することが可能なストレージ管理制御用インタフェースシステム。
【００５６】
＜６＞  項目＜４＞を満たすストレージ管理制御用インタフェースにおいて、一定の期間使用されなかったユーザアカウントは自動的に使用不可能になることを特徴とするストレージ管理制御用インタフェースシステム。
【００５７】
＜７＞  項目＜１＞を満たすストレージシステムにおいて、Ｊａｖａアプレットプログラムを、任意のＷＷＷブラウザ上に配信する手段を備え、配信したアプレットプログラムがストレージ管理制御用インタフェースと通信することによりストレージの管理制御を可能にするストレージ管理制御システム。
【００５８】
以上本発明者によってなされた発明を実施の形態に基づき具体的に説明したが、本発明は前記実施の形態に限定されるものではなく、その要旨を逸脱しない範囲で種々変更可能であることはいうまでもない。
【００５９】
【発明の効果】
本発明によれば、情報ネットワークを経由してやり取りされる情報量を増大させることなく、効率良く、ストレージシステムの遠隔管理を行うことができる、という効果が得られる。
【００６０】
本発明によれば、セキュリティや性能を低下させることなく、ストレージシステムの遠隔管理ソフトウェアの開発工数の削減、および汎用性の向上を実現することができる、という効果が得られる。
【図面の簡単な説明】
【図１】本発明の一実施の形態であるストレージシステムにおける管理制御機能部分に着目した構成および作用の一例を示す概念図である。
【図２】本発明の一実施の形態であるストレージシステムにて用いられる情報の一例を示す概念図である。
【図３】本発明の一実施の形態であるストレージシステムの作用の一例を示すフローチャートである。
【図４】本発明の一実施の形態であるストレージシステムの作用の一例を示すフローチャートである。
【図５】本発明の一実施の形態であるストレージシステムの作用の一例を示す概念図である。
【符号の説明】
１０１…ストレージシステム、１０２…ストレージマネージャプログラム、１０３…ＷＷＷサーバ、１０４…ユーザ情報ファイル、１０４−１…使用許可期間情報ファイル、１０４−２…使用許可関数情報ファイル、１０４ａ…ユーザＩＤ、１０４ｂ…パスワード、１０４ｃ…ファイル名、１０４ｄ…ファイル名、１０４ｅ…ログアウト時刻、１０５…ＲＭＩ管理オブジェクト（遠隔手続き呼び出し機能）、１０６…ストレージ構成情報ファイル、１０７…ＲＭＩインタフェースオブジェクト、１０７ａ…認証鍵、１０７ｂ…使用許可フラグ、１０７ｃ…関数（制御機能）、１０８…ＲＭＩインタフェース、１０９…ＷＷＷブラウザ、１１０…不正アクセス者、５００…情報ネットワーク。
【図１】
0004099320.tif 000002
【図２】
0004099320.tif 000003
【図３】
0004099320.tif 000004
【図４】
0004099320.tif 000005
【図５】
0004099320.tif 000006